(57)【要約】【課題】コネクションの再設定処理を繰り返してしまうという状況を回避する。【解決手段】本発明に係る移動通信方法は、移動局ＵＥが、コネクションにおける障害を検出した場合、無線基地局ｅＮＢに対してコネクション再設定要求信号を送信し、無線基地局ｅＮＢと移動局ＵＥとの間でコネクションを再設定する工程と、移動局ＵＥが、無線基地局ｅＮＢからコネクション再構成信号を受信した場合には、コネクション再構成信号に、移動局ＵＥと無線基地局ｅＮＢとの間で設定されていなかったデータ用無線ベアラの削除要求が含まれている場合であっても、移動局ＵＥが、無線基地局ｅＮＢに対して、コネクション再構成信号に対応する処理が完了した旨を示すコネクション再構成完了信号を送信する工程とを具備する。【選択図】図６
2010166581.tif 000002
【特許請求の範囲】
【請求項１】
移動局と無線基地局との間で、シグナリング用無線ベアラ及びデータ用無線ベアラを含むコネクションを介して通信を行う移動通信方法であって、
前記移動局が、前記コネクションにおける障害を検出した場合、前記無線基地局に対してコネクション再設定要求信号を送信し、該無線基地局と該移動局との間で該コネクションを再設定する工程と、
前記移動局が、前記無線基地局からコネクション再構成信号を受信した場合には、該コネクション再構成信号に、該移動局と該無線基地局との間で設定されていなかったデータ用無線ベアラの削除要求が含まれている場合であっても、該移動局が、該無線基地局に対して、該コネクション再構成信号に対応する処理が完了した旨を示すコネクション再構成完了信号を送信する工程とを具備することを特徴とする移動通信方法。
【請求項２】
無線基地局との間で、シグナリング用無線ベアラ及びデータ用無線ベアラを含むコネクションを介して通信を行うように構成されている移動局であって、
前記コネクションにおける障害を検出した場合、前記無線基地局に対してコネクション再設定要求信号を送信し、該無線基地局との間で該コネクションを再設定するように構成されている再設定処理部と、
前記無線基地局からコネクション再構成信号を受信した場合には、該コネクション再構成信号に、該無線基地局との間で設定されていなかったデータ用無線ベアラの削除要求が含まれている場合であっても、該無線基地局に対して、該コネクション再構成信号に対応する処理が完了した旨を示すコネクション再構成完了信号を送信するように構成されている送信部とを具備することを特徴とする移動局。
【請求項３】
移動局と無線基地局との間で、シグナリング用無線ベアラ及びデータ用無線ベアラを含むコネクションを介して通信を行う移動通信方法であって、
前記移動局が、前記コネクションにおける障害を検出した場合、前記無線基地局に対してコネクション再設定要求信号を送信し、該無線基地局と該移動局との間で該コネクションを再設定する工程と、
前記移動局が、前記無線基地局からコネクション再構成信号を受信した場合には、該コネクション再構成信号に、該移動局において設定されていなかった測定報告に係る情報に対する削除要求が含まれている場合であっても、該移動局が、該無線基地局に対して、該コネクション再構成信号に対応する処理が完了した旨を示すコネクション再構成完了信号を送信する工程とを具備することを特徴とする移動通信方法。
【請求項４】
無線基地局との間で、シグナリング用無線ベアラ及びデータ用無線ベアラを含むコネクションを介して通信を行うように構成されている移動局であって、
前記コネクションにおける障害を検出した場合、前記無線基地局に対してコネクション再設定要求信号を送信し、該無線基地局との間で該コネクションを再設定するように構成されている再設定処理部と、
前記無線基地局からコネクション再構成信号を受信した場合には、該コネクション再構成信号に、該移動局において設定されていなかった測定報告に係る情報に対する削除要求が含まれている場合であっても、該無線基地局に対して、該コネクション再構成信号に対応する処理が完了した旨を示すコネクション再構成完了信号を送信するように構成されている送信部とを具備することを特徴とする移動局。
【発明の詳細な説明】
【技術分野】
【０００１】
本発明は、移動通信方法及び移動局に関する。
【背景技術】
【０００２】
図８及び図９を参照して、３ＧＰＰで規定されている「ＬＴＥ（Ｌｏｎｇ  Ｔｅｒｍ  Ｅｖｏｌｕｔｉｏｎ）」方式の移動通信システムにおいて、無線基地局ｅＮＢとの間でコネクション＃１を設定している移動局ＵＥが、ＲＬＦ（無線リンク障害、Ｒａｄｉｏ  Ｌｉｎｋ  Ｆａｉｌｕｒｅ）を検出した際の動作について、２つの例を挙げて説明する。
【０００３】
最初に、第１の例について、図８を参照して説明する。図８に示すように、移動局ＵＥと無線基地局ｅＮＢとの間で、ＳＲＢ（Ｓｉｇｎａｌｌｉｎｇ  Ｒａｄｉｏ  Ｂｅａｒｅｒ、シグナリング用無線ベアラ）及びＤＲＢ（Ｄａｔａ  Ｒａｄｉｏ  Ｂｅａｒｅｒ、データ用無線ベアラ）を含むコネクションが設定されている状態で、ステップＳ３００１において、無線基地局ｅＮＢが、移動局ＵＥに対して、ＤＲＢ＃１５の削除要求を含む「ＲＲＣ  Ｃｏｎｎｅｃｔｉｏｎ  Ｒｅｃｏｎｆｉｇｕｒａｔｉｏｎ（コネクション再構成信号）」を送信する。
【０００４】
ステップＳ３００２において、移動局ＵＥが、「ＲＲＣ  Ｃｏｎｎｅｃｔｉｏｎ  Ｒｅｃｏｎｆｉｇｕｒａｔｉｏｎ」に応じて、ＤＲＢ＃１５の削除処理を行い、かかるＤＲＢ＃１５の削除処理が完了したことを通知するための「ＲＲＣ  Ｃｏｎｎｅｃｔｉｏｎ  Ｒｅｃｏｎｆｉｇｕｒａｔｉｏｎ  Ｃｏｍｐｌｅｔｅ（コネクション再構成完了信号）」を、無線基地局ｅＮＢに対して送信する。
【０００５】
その後、移動局ＵＥは、「ＲＲＣ  Ｃｏｎｎｅｃｔｉｏｎ  Ｒｅｃｏｎｆｉｇｕｒａｔｉｏｎ  Ｃｏｍｐｌｅｔｅ」が無線基地局ｅＮＢに到達する前に、ＲＬＦを検出し、ステップＳ３００３において、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ（コネクション再設定要求信号）」を送信する。
【０００６】
ステップＳ３００４において、無線基地局ｅＮＢは、移動局ＵＥに対して、「ＲＲＣ  Ｃｏｎｎｅｃｔｉｏｎ  Ｒｅ-ｅｓｔａｂｌｉｓｈｍｅｎｔ（コネクション再設定信号）」を送信し、ステップＳ３００５において、移動局ＵＥは、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ（コネクション再設定完了信号）」を送信する。この結果、無線基地局ｅＮＢと移動局ＵＥとの間で、コネクション（ＳＲＢ１）が再設定される。
【０００７】
その後、ステップＳ３００６において、無線基地局ｅＮＢが、移動局ＵＥに対して、「ＲＲＣ  Ｃｏｎｎｅｃｔｉｏｎ  Ｒｅｃｏｎｆｉｇｕｒａｔｉｏｎ（コネクション再構成信号）」を送信する。この結果、無線基地局ｅＮＢと移動局ＵＥとの間で、コネクション（ＳＲＢ２及びＤＲＢ）が再設定される。
【０００８】
次に、第２の例について、図９を参照して説明する。図９に示すように、移動局ＵＥと無線基地局ｅＮＢとの間で、ＳＲＢ及びＤＲＢを含むコネクションが設定されている状態で、ステップＳ４００１において、移動局ＵＥが、ＲＬＦを検出した後、ステップＳ４００２において、無線基地局ｅＮＢが、移動局ＵＥに対して、ＤＲＢ＃１５の追加要求を含む「ＲＲＣ  Ｃｏｎｎｅｃｔｉｏｎ  Ｒｅｃｏｎｆｉｇｕｒａｔｉｏｎ」を送信する。
【０００９】
かかる場合、移動局ＵＥは、ＤＲＢ＃１５の追加処理を行うことなく、ステップＳ４００３において、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００１０】
ステップＳ４００４において、無線基地局ｅＮＢは、移動局ＵＥに対して、「ＲＲＣ  Ｃｏｎｎｅｃｔｉｏｎ  Ｒｅ-ｅｓｔａｂｌｉｓｈｍｅｎｔ」を送信し、ステップＳ４００５において、移動局ＵＥは、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。この結果、無線基地局ｅＮＢと移動局ＵＥとの間で、コネクション（ＳＲＢ１）が再設定される。
【００１１】
その後、ステップ４００６において、無線基地局ｅＮＢが、移動局ＵＥに対して、「ＲＲＣ  Ｃｏｎｎｅｃｔｉｏｎ  Ｒｅｃｏｎｆｉｇｕｒａｔｉｏｎ」を送信する。この結果、無線基地局ｅＮＢと移動局ＵＥとの間で、コネクション（ＳＲＢ２及びＤＲＢ）が再設定される。
【先行技術文献】
【非特許文献】
【００１２】
【非特許文献１】３ＧＰＰ  ＴＳ３６.３３１  ｖ８.４.０
【発明の概要】
【発明が解決しようとする課題】
【００１３】
しかしながら、上述の図８及び図９の動作では、以下のような問題点があった。
【００１４】
図８の例では、ステップＳ３００６において、無線基地局ｅＮＢが、移動局ＵＥに対して、ＤＲＢ＃１５の削除要求を含む「ＲＲＣ  Ｃｏｎｎｅｃｔｉｏｎ  Ｒｅｃｏｎｆｉｇｕｒａｔｉｏｎ」を送信した場合、移動局ＵＥは、ステップＳ３００７において、無線基地局ｅＮＢとの間でＤＲＢ＃１５が設定されていなかったため、無線基地局ｅＮＢとの間でコネクション管理状態が不一致であることを検出し、ステップＳ３００８において、再度、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信し、コネクションの再設定処理を繰り返してしまうという問題点があった。
【００１５】
同様に、図９の例でも、ステップＳ４００６において、無線基地局ｅＮＢが、移動局ＵＥに対して、ＤＲＢ＃１５の削除要求を含む「ＲＲＣ  Ｃｏｎｎｅｃｔｉｏｎ  Ｒｅｃｏｎｆｉｇｕｒａｔｉｏｎ」を送信した場合、移動局ＵＥは、ステップＳ４００７において、無線基地局ｅＮＢとの間でＤＲＢ＃１５が設定されていなかったため、無線基地局ｅＮＢとの間でコネクション管理状態が不一致であることを検出し、ステップＳ４００８において、再度、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信し、コネクションの再設定処理を繰り返してしまうという問題点があった。
【００１６】
すなわち、従来の移動通信システムでは、移動局ＵＥは、「ＲＲＣ  Ｃｏｎｎｅｃｔｉｏｎ  Ｒｅｃｏｎｆｉｇｕｒａｔｉｏｎ」に含まれるＤＲＢの削除要求や追加要求が、ＲＬＦが検出される前に設定されていたコネクションにおける状態と一致していない場合には、コネクションの再設定処理を繰り返してしまうという問題点があった。
【００１７】
同様に、従来の移動通信システムでは、移動局ＵＥは、「ＲＲＣ  Ｃｏｎｎｅｃｔｉｏｎ  Ｒｅｃｏｎｆｉｇｕｒａｔｉｏｎ」に含まれる情報要素「ｍｅａｓｕｒｅｍｅｎｔＣｏｎｆｉｇｕｒａｔｉｏｎ」の内容が、ＲＬＦが検出される前に設定されていた状態と一致していない場合は、やはり、コネクションの再設定処理を繰り返してしまうという問題点があった。
【００１８】
そこで、本発明は、上述の課題に鑑みてなされたものであり、上述のようなコネクションの再設定処理を繰り返してしまうという状況を回避することができる移動通信方法及び移動局を提供することを目的とする。
【課題を解決するための手段】
【００１９】
本発明の第１の特徴は、移動局と無線基地局との間で、シグナリング用無線ベアラ及びデータ用無線ベアラを含むコネクションを介して通信を行う移動通信方法であって、前記移動局が、前記コネクションにおける障害を検出した場合、前記無線基地局に対してコネクション再設定要求信号を送信し、該無線基地局と該移動局との間で該コネクションを再設定する工程と、前記移動局が、前記無線基地局からコネクション再構成信号を受信した場合には、該コネクション再構成信号に、該移動局と該無線基地局との間で設定されていなかったデータ用無線ベアラの削除要求が含まれている場合であっても、該移動局が、該無線基地局に対して、該コネクション再構成信号に対応する処理が完了した旨を示すコネクション再構成完了信号を送信する工程とを具備することを要旨とする。
【００２０】
本発明の第２の特徴は、無線基地局との間で、シグナリング用無線ベアラ及びデータ用無線ベアラを含むコネクションを介して通信を行うように構成されている移動局であって、前記コネクションにおける障害を検出した場合、前記無線基地局に対してコネクション再設定要求信号を送信し、該無線基地局との間で該コネクションを再設定するように構成されている再設定処理部と、前記無線基地局からコネクション再構成信号を受信した場合には、該コネクション再構成信号に、該無線基地局との間で設定されていなかったデータ用無線ベアラの削除要求が含まれている場合であっても、該無線基地局に対して、該コネクション再構成信号に対応する処理が完了した旨を示すコネクション再構成完了信号を送信するように構成されている送信部とを具備することを要旨とする。
【００２１】
本発明の第３の特徴は、移動局と無線基地局との間で、シグナリング用無線ベアラ及びデータ用無線ベアラを含むコネクションを介して通信を行う移動通信方法であって、前記移動局が、前記コネクションにおける障害を検出した場合、前記無線基地局に対してコネクション再設定要求信号を送信し、該無線基地局と該移動局との間で該コネクションを再設定する工程と、前記移動局が、前記無線基地局からコネクション再構成信号を受信した場合には、該コネクション再構成信号に、該移動局において設定されていなかった測定報告に係る情報に対する削除要求が含まれている場合であっても、該移動局が、該無線基地局に対して、該コネクション再構成信号に対応する処理が完了した旨を示すコネクション再構成完了信号を送信する工程とを具備することを要旨とする。
【００２２】
本発明の第４の特徴は、無線基地局との間で、シグナリング用無線ベアラ及びデータ用無線ベアラを含むコネクションを介して通信を行うように構成されている移動局であって、前記コネクションにおける障害を検出した場合、前記無線基地局に対してコネクション再設定要求信号を送信し、該無線基地局との間で該コネクションを再設定するように構成されている再設定処理部と、前記無線基地局からコネクション再構成信号を受信した場合には、該コネクション再構成信号に、該移動局において設定されていなかった測定報告に係る情報に対する削除要求が含まれている場合であっても、該無線基地局に対して、該コネクション再構成信号に対応する処理が完了した旨を示すコネクション再構成完了信号を送信するように構成されている送信部とを具備することを要旨とする。
【発明の効果】
【００２３】
以上説明したように、本発明によれば、上述のようなコネクションの再設定処理を繰り返してしまうという状況を回避することができる移動通信方法及び移動局を提供することができる。
【図面の簡単な説明】
【００２４】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムで送受信される「ＲＲＣ  Ｃｏｎｎｅｃｔｉｏｎ  Ｒｅｃｏｎｆｉｇｕｒａｔｉｏｎ」について説明するための図である。
【図４】本発明の第１の実施形態に係る移動通信システムで送受信される「ＲＲＣ  Ｃｏｎｎｅｃｔｉｏｎ  Ｒｅｃｏｎｆｉｇｕｒａｔｉｏｎ」に含まれている「ＲａｄｉｏＲｅｓｏｕｒｃｅＣｏｎｆｉｇＤｅｄｉｃａｔｅｄ」について説明するための図である。
【図５】本発明の第１の実施形態に係る移動通信システムで送受信される「Ｍｅａｓｕｒｅｍｅｎｔ  Ｃｏｎｆｉｇｕｒａｔｉｏｎ」について説明するための図である。
【図６】本発明の第１の実施形態に係る移動通信システムの動作を示すシーケンス図である。
【図７】本発明の第１の実施形態に係る移動通信システムの動作を示すシーケンス図である。
【図８】従来の移動通信システムの動作を示すシーケンス図である。
【図９】従来の移動通信システムの動作を示すシーケンス図である。
【発明を実施するための形態】
【００２５】
（本発明の第１の実施形態に係る移動通信システムの構成）
図１乃至図５を参照して、本発明の第１の実施形態に係る移動通信システムの構成について説明する。
【００２６】
図１に示すように、本実施形態に係る移動通信システムは、ＬＴＥ方式の移動通信システムであって、無線基地局ｅＮＢと移動局ＵＥとの間で、コネクションが設定されるように構成されている。
【００２７】
かかるコネクションには、Ｃプレーン用無線ベアラとしてのＳＲＢ、及び、Ｕプレーン用無線ベアラとしてのＤＲＢが含まれている。
【００２８】
図２に示すように、移動局ＵＥは、再設定処理部１１と、ＲＲＣ  Ｃｏｎｎｅｃｔｉｏｎ  Ｒｅｃｏｎｆｉｇｕｒａｔｉｏｎ受信部１２と、管理部１３と、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４とを具備している。
【００２９】
再設定処理部１１は、無線基地局ｅＮＢとの間で設定しているコネクションにおける障害（ＲＬＦ）を検出した場合、無線基地局ｅＮＢに対して「ＲＲＣ  Ｃｏｎｎｅｃｔｉｏｎ  Ｒｅ-ｅｓｔａｂｌｉｓｈｍｅｎｔ  Ｒｅｑｕｅｓｔ（コネクション再設定要求信号）」を送信し、無線基地局ｅＮＢとの間で、かかるコネクションを再設定するように構成されている。
【００３０】
ＲＲＣ  Ｃｏｎｎｅｃｔｉｏｎ  Ｒｅｃｏｎｆｉｇｕｒａｔｉｏｎ受信部１２は、無線基地局ｅＮＢによって送信された「ＲＲＣ  Ｃｏｎｎｅｃｔｉｏｎ  Ｒｅｃｏｎｆｉｇｕｒａｔｉｏｎ（コネクション再構成信号）」を受信するように構成されている。
【００３１】
ここで、「ＲＲＣ  Ｃｏｎｎｅｃｔｉｏｎ  Ｒｅｃｏｎｆｉｇｕｒａｔｉｏｎ」は、無線基地局ｅＮＢと移動局ＵＥとの間で設定されているコネクションの構成を変更するように指示する信号である。
【００３２】
例えば、図３に示すように、「ＲＲＣ  Ｃｏｎｎｅｃｔｉｏｎ  Ｒｅｃｏｎｆｉｇｕｒａｔｉｏｎ」には、情報要素として、「ｒａｄｉｏＲｅｓｏｕｒｃｅＣｏｎｆｉｇｕｒａｔｉｏｎ」や「ｍｅａｓｕｒｅｍｅｎｔＣｏｎｆｉｇｕｒａｔｉｏｎ」等が含まれている。
【００３３】
また、図４に示すように、「ｒａｄｉｏＲｅｓｏｕｒｃｅＣｏｎｆｉｇｕｒａｔｉｏｎ（ＲａｄｉｏＲｅｓｏｕｒｃｅＣｏｎｆｉｇＤｅｄｉｃａｔｅｄ）」には、情報要素として、「ｄｒｂ-ＴｏＡｄｄＭｏｄｉｆｙＬｉｓｔ」や「ｄｒｂ-ＴｏＲｅｌｅａｓｅＬｉｓｔ」等が含まれている。
【００３４】
「ｄｒｂ-ＴｏＡｄｄＭｏｄｉｆｙＬｉｓｔ」は、１つ又は複数のＤＲＢに対する追加要求及び変更要求を含む情報要素であり、「ｄｒｂ-ＴｏＲｅｌｅａｓｅＬｉｓｔ」は、１つ又は複数のＤＲＢに対する削除要求を含む情報要素である。
【００３５】
また、図５に示すように、「ｍｅａｓｕｒｅｍｅｎｔＣｏｎｆｉｇｕｒａｔｉｏｎ」には、情報要素として、「ｍｅａＯｂｊｅｃｔＴｏＲｅｍｏｖｅＬｉｓｔ」や「ｍｅａＯｂｊｅｃｔＴｏＡｄｄＭｏｄｉｆｙＬｉｓｔ」や「ｒｅｐｏｒｔＣｏｎｆｉｇＴｏＲｅｍｏｖｅＬｉｓｔ」や「ｒｅｐｏｒｔＣｏｎｆｉｇＴｏＡｄｄＭｏｄｉｆｙＬｉｓｔ」や「ｍｅａＩＤＴｏＲｅｍｏｖｅＬｉｓｔ」や「ｍｅａＩＤＴｏＡｄｄＭｏｄｉｆｙＬｉｓｔ」等が含まれている。
【００３６】
すなわち、「ｍｅａｓｕｒｅｍｅｎｔＣｏｎｆｉｇｕｒａｔｉｏｎ」には、「測定報告（Ｍｅａｓｕｒｅｍｅｎｔ  Ｒｅｐｏｒｔ）に係る情報」の削除要求や追加要求や変更要求を含む情報要素が含まれている。
【００３７】
「ｍｅａＯｂｊｅｃｔＴｏＲｅｍｏｖｅＬｉｓｔ」は、１つ又は複数の「測定対象（Ｍｅａｓｕｒｅｍｅｎｔ  Ｏｂｊｅｃｔ）」に対する削除要求を含む情報要素であり、「ｍｅａＯｂｊｅｃｔＴｏＡｄｄＭｏｄｉｆｙＬｉｓｔ」は、１つ又は複数の測定対象に対する追加要求及び変更要求を含む情報要素である。
【００３８】
ここで、測定対象は、移動局ＵＥにおいて受信品質を測定すべきセルを特定するための情報（例えば、無線アクセス方式や周波数やＰＣＩ（Ｐｈｙｓｉｃａｌ  Ｃｅｌｌ  ＩＤ）等）である。なお、測定対象は、上述の「測定報告に係る情報」の１つである。
【００３９】
また、「ｒｅｐｏｒｔＣｏｎｆｉｇＴｏＲｅｍｏｖｅＬｉｓｔ」は、１つ又は複数の「報告方法（Ｒｅｐｏｒｔ  Ｃｏｎｆｉｇｕｒａｔｉｏｎ）」に対する削除要求を含む情報要素であり、「ｒｅｐｏｒｔＣｏｎｆｉｇＴｏＡｄｄＭｏｄｉｆｙＬｉｓｔ」は、１つ又は複数の報告方法に対する追加要求及び変更要求を含む情報要素である。
【００４０】
ここで、報告方法は、上述の測定対象の受信品質を含む測定報告の無線基地局ｅＮＢに対する報告方法を規定する情報である。なお、報告方法も、上述の「測定報告に係る情報」の１つである。
【００４１】
さらに、「ｍｅａＩＤＴｏＲｅｍｏｖｅＬｉｓｔ」は、１つ又は複数の「測定ＩＤ（Ｍｅａｓｕｒｅｍｅｎｔ  ＩＤ）」に対する削除要求を含む情報要素であり、「ｍｅａＩＤＴｏＡｄｄＭｏｄｉｆｙＬｉｓｔ」は、１つ又は複数の測定ＩＤに対する追加要求及び変更要求を含む情報要素である。
【００４２】
ここで、測定ＩＤは、測定対象と報告方法とを関連付けるための情報である。なお、測定ＩＤも、上述の「測定報告に係る情報」の１つである。
【００４３】
管理部１３は、無線基地局ｅＮＢとの間で設定されているコネクションに関する情報について管理するように構成されている。ここで、管理部１３は、特定のコネクションにおいてＲＬＦを検出した場合であっても、かかる特定のコネクションについて再設定処理が行われている場合には、かかる特定のコネクションに関する情報を管理し続けるように構成されている。
【００４４】
例えば、管理部１３は、各「ＲＲＣ  Ｃｏｎｎｅｃｔｉｏｎ  Ｒｅｃｏｎｆｉｇｕｒａｔｉｏｎ」内の情報要素「ｒａｄｉｏＲｅｓｏｕｒｃｅＣｏｎｆｉｇｕｒａｔｉｏｎ」に基づいて、各コネクション内で設定されている「ＤＲＢに関する情報」を管理するように構成されている。
【００４５】
また、管理部１３は、各「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に基づいて、各コネクションを介して受信した「測定報告に係る情報」を管理するように構成されている。
【００４６】
ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を、無線基地局ｅＮＢに対して送信するように構成されている。
【００４７】
ここで、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｒａｄｉｏＲｅｓｏｕｒｃｅＣｏｎｆｉｇｕｒａｔｉｏｎ」に含まれる情報要素「ｄｒｂ-ＴｏＲｅｌｅａｓｅＬｉｓｔ」内に、無線基地局ｅＮＢとの間で設定されていなかったＤＲＢの削除要求が含まれている場合であっても、かかるＤＲＢの削除要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００４８】
また、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｒａｄｉｏＲｅｓｏｕｒｃｅＣｏｎｆｉｇｕｒａｔｉｏｎ」に含まれる情報要素「ｄｒｂ-ＴｏＡｄｄＭｏｄｉｆｙＬｉｓｔ」内に、無線基地局ｅＮＢとの間で設定されていなかったＤＲＢの変更要求が含まれている場合であっても、かかるＤＲＢの変更要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００４９】
さらに、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｒａｄｉｏＲｅｓｏｕｒｃｅＣｏｎｆｉｇｕｒａｔｉｏｎ」に含まれる情報要素「ｄｒｂ-ＴｏＡｄｄＭｏｄｉｆｙＬｉｓｔ」内に、無線基地局ｅＮＢとの間で設定されていたＤＲＢの追加要求が含まれている場合であっても、かかるＤＲＢの追加要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５０】
一方、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｍｅａｓＯｂｊｅｃｔＴｏＲｅｍｏｖｅＬｉｓｔ」内に、移動局ＵＥにおいて設定されていなかった測定対象に対する削除要求が含まれている場合であっても、かかる削除要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５１】
また、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｍｅａｓＯｂｊｅｃｔＴｏＡｄｄＭｏｄｉｆｙＬｉｓｔ」内に、移動局ＵＥにおいて設定されていなかった測定対象に対する変更要求が含まれている場合であっても、かかる変更要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５２】
さらに、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｍｅａｓＯｂｊｅｃｔＴｏＡｄｄＭｏｄｉｆｙＬｉｓｔ」内に、移動局ＵＥにおいて設定されていた測定対象に対する追加要求が含まれている場合であっても、かかる追加要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５３】
また、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｒｅｐｏｒｔＣｏｎｆｉｇＴｏＲｅｍｏｖｅＬｉｓｔ」内に、移動局ＵＥにおいて設定されていなかった報告方法に対する削除要求が含まれている場合であっても、かかる削除要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５４】
また、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｒｅｐｏｒｔＣｏｎｆｉｇＴｏＡｄｄＭｏｄｉｆｙＬｉｓｔ」内に、移動局ＵＥにおいて設定されていなかった報告方法に対する変更要求が含まれている場合であっても、かかる変更要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５５】
さらに、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｒｅｐｏｒｔＣｏｎｆｉｇＴｏＡｄｄＭｏｄｉｆｙＬｉｓｔ」内に、移動局ＵＥにおいて設定されていた報告方法に対する追加要求が含まれている場合であっても、かかる追加要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５６】
また、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｍｅａｓＩｄＴｏＲｅｍｏｖｅＬｉｓｔ」内に、移動局ＵＥにおいて設定されていなかった測定ＩＤに対する削除要求が含まれている場合であっても、かかる削除要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５７】
また、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｍｅａｓＩｄＴｏＡｄｄＭｏｄｉｆｙＬｉｓｔ」内に、移動局ＵＥにおいて設定されていなかった測定ＩＤに対する変更要求が含まれている場合であっても、かかる変更要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５８】
さらに、ＲＲＣ  Ｃｏｎｎｅｃｔｉｏｎ  Ｒｅｃｏｎｆｉｇｕｒａｔｉｏｎ  Ｃｏｍｐｌｅｔｅ送信部１４は、無線基地局ｅＮＢから受信した「ＲＲＣ  Ｃｏｎｎｅｃｔｉｏｎ  Ｒｅｃｏｎｆｉｇｕｒａｔｉｏｎ」内の情報要素「ｍｅａｓｕｒｅｍｅｎｔＣｏｎｆｉｇｕｒａｔｉｏｎ」に含まれる情報要素「ｍｅａｓＩｄＴｏＡｄｄＭｏｄｉｆｙＬｉｓｔ」内に、移動局ＵＥにおいて設定されていた測定ＩＤに対する追加要求が含まれている場合であっても、かかる追加要求を無視して、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信するように構成されていてもよい。
【００５９】
（本発明の第１の実施形態に係る移動通信システムの動作）
図６及び図７を参照して、本発明の第１の実施形態に係る移動通信システムの動作について、２つの例を挙げて説明する。
【００６０】
最初に、第１の例について、図６を参照して説明する。図６に示すように、移動局ＵＥと無線基地局ｅＮＢとの間で、ＳＲＢ及びＤＲＢを含むコネクションが設定されている状態で、ステップＳ１００１において、無線基地局ｅＮＢが、移動局ＵＥに対して、ＤＲＢ＃１５の削除要求又は測定対象＃１の削除要求を含む「ＲＲＣ  Ｃｏｎｎｅｃｔｉｏｎ  Ｒｅｃｏｎｆｉｇｕｒａｔｉｏｎ」を送信する。
【００６１】
ステップＳ１００２において、移動局ＵＥが、「ＲＲＣ  Ｃｏｎｎｅｃｔｉｏｎ  Ｒｅｃｏｎｆｉｇｕｒａｔｉｏｎ」に応じて、ＤＲＢ＃１５の削除処理又は測定対象＃１の削除処理を行い、かかるＤＲＢ＃１５の削除処理又は測定対象＃１の削除処理が完了したことを通知するための「ＲＲＣ  Ｃｏｎｎｅｃｔｉｏｎ  Ｒｅｃｏｎｆｉｇｕｒａｔｉｏｎ  Ｃｏｍｐｌｅｔｅ」を、無線基地局ｅＮＢに対して送信する。
【００６２】
その後、移動局ＵＥは、「ＲＲＣ  Ｃｏｎｎｅｃｔｉｏｎ  Ｒｅｃｏｎｆｉｇｕｒａｔｉｏｎ  Ｃｏｍｐｌｅｔｅ」が無線基地局ｅＮＢに到達する前に、ＲＬＦを検出し、ステップＳ１００３において、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００６３】
ステップＳ１００４において、無線基地局ｅＮＢは、移動局ＵＥに対して、「ＲＲＣ  Ｃｏｎｎｅｃｔｉｏｎ  Ｒｅ-ｅｓｔａｂｌｉｓｈｍｅｎｔ」を送信し、ステップＳ１００５において、移動局ＵＥは、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。この結果、無線基地局ｅＮＢと移動局ＵＥとの間で、コネクション（ＳＲＢ１）が再設定される。
【００６４】
その後、ステップＳ１００６において、無線基地局ｅＮＢが、移動局ＵＥに対して、ＤＲＢ＃１５の削除要求又は測定対象＃１の削除要求を含む「ＲＲＣ  Ｃｏｎｎｅｃｔｉｏｎ  Ｒｅｃｏｎｆｉｇｕｒａｔｉｏｎ」を送信する。
【００６５】
移動局ＵＥは、ステップＳ１００７において、ＲＬＦを検出する前の状態において、無線基地局ｅＮＢとの間でＤＲＢ＃１５が設定されていなかった或いは移動局ＵＥにおいて測定対象＃１が設定されていなかったと判断した場合であっても、すなわち、無線基地局ｅＮＢとの間でコネクション管理状態或いは受信品質の測定方法管理状態が不一致であることを検出した場合であっても、ステップＳ１００８において、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００６６】
この結果、コネクション再設定処理を繰り返すことなく、無線基地局ｅＮＢと移動局ＵＥとの間で、コネクション（ＳＲＢ２及びＤＲＢ）が再設定される。
【００６７】
次に、第２の例について、図７を参照して説明する。図７に示すように、移動局ＵＥと無線基地局ｅＮＢとの間で、ＳＲＢ及びＤＲＢを含むコネクションが設定されている状態で、ステップＳ２００１において、移動局ＵＥが、ＲＬＦを検出した後、ステップＳ２００２において、無線基地局ｅＮＢが、移動局ＵＥに対して、ＤＲＢ＃１５の追加要求又は測定対象#１の追加要求を含む「ＲＲＣ  Ｃｏｎｎｅｃｔｉｏｎ  Ｒｅｃｏｎｆｉｇｕｒａｔｉｏｎ」を送信する。
【００６８】
かかる場合、移動局ＵＥは、ＤＲＢ＃１５の追加処理又は測定対象＃１の追加処理を行うことなく、ステップＳ２００３において、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｒｅｑｕｅｓｔ」を送信する。
【００６９】
ステップＳ２００４において、無線基地局ｅＮＢは、移動局ＵＥに対して、「ＲＲＣ  Ｃｏｎｎｅｃｔｉｏｎ  Ｒｅ-ｅｓｔａｂｌｉｓｈｍｅｎｔ」を送信し、ステップＳ２００５において、移動局ＵＥは、無線基地局ｅＮＢに対して、「ＲＲＣ  Ｃｏｎｎｅｃｔｉｏｎ  Ｒｅ-ｅｓｔａｂｌｉｓｈｍｅｎｔ  Ｃｏｍｐｌｅｔｅ」を送信する。この結果、無線基地局ｅＮＢと移動局ＵＥとの間で、コネクション（ＳＲＢ１）が再設定される。
【００７０】
その後、ステップＳ２００６において、無線基地局ｅＮＢが、移動局ＵＥに対して、ＤＲＢ＃１５の削除要求又は測定対象＃１の削除要求を含む「ＲＲＣ  Ｃｏｎｎｅｃｔｉｏｎ  Ｒｅｃｏｎｆｉｇｕｒａｔｉｏｎ」を送信する。
【００７１】
移動局ＵＥは、ステップＳ２００７において、ＲＬＦを検出する前の状態において、無線基地局ｅＮＢとの間でＤＲＢ＃１５が設定されていなかった或いは移動局ＵＥにおいて測定対象＃１が設定されていなかったと判断した場合であっても、すなわち、無線基地局ｅＮＢとの間でコネクション管理状態或いは受信品質の測定方法管理状態が不一致であることを検出した場合であっても、ステップＳ２００８において、無線基地局ｅＮＢに対して、「ＲＲＣ  Ｃｏｎｎｅｃｔｉｏｎ  Ｒｅｃｏｎｆｉｇｕｒａｔｉｏｎ」に対応する処理が完了した旨を示す「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７２】
この結果、コネクション再設定処理を繰り返すことなく、無線基地局ｅＮＢと移動局ＵＥとの間で、コネクション（ＳＲＢ２及びＤＲＢ）が再設定される。
【００７３】
（本発明の第１の実施形態に係る移動通信システムの作用・効果）
本発明の第１の実施形態によれば、移動局ＵＥがＲＬＦを検出した場合の動作において、移動局ＵＥが、ＲＬＦを検出する前の状態において、無線基地局ｅＮＢとの間でＤＲＢ＃１５が設定されていなかった或いは移動局ＵＥにおいて測定対象＃１が設定されていなかったと判断した場合であっても、すなわち、無線基地局ｅＮＢとの間でコネクション管理状態或いは受信品質の測定方法管理状態が不一致であることを検出した場合であっても、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信することによって、「ＲＲＣ  Ｃｏｎｎｅｃｔｉｏｎ  Ｒｅｃｏｎｆｉｇｕｒａｔｉｏｎ」に対応する処理が完了した旨を通知することができるため、コネクション再設定処理を繰り返してしまうという問題点を解決することができる。
【００７４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ｅＮＢ…無線基地局
ＵＥ…移動局
１１…再設定処理部
１２…ＲＲＣ  Ｃｏｎｎｅｃｔｉｏｎ  Ｒｅｃｏｎｆｉｇｕｒａｔｉｏｎ受信部
１３…管理部
１４…ＲＲＣ  Ｃｏｎｎｅｃｔｉｏｎ  Ｒｅｃｏｎｆｉｇｕｒａｔｉｏｎ  Ｃｏｍｐｌｅｔｅ送信部
【図１】
2010166581.tif 000003
【図２】
2010166581.tif 000004
【図３】
2010166581.tif 000005
【図４】
2010166581.tif 000006
【図５】
2010166581.tif 000007
【図６】
2010166581.tif 000008
【図７】
2010166581.tif 000009
【図８】
2010166581.tif 000010
【図９】
2010166581.tif 000011